(57)【要約】本発明の治療法では、まず、天然物質または天然植物の発振／振動を測定する。環境信号を相殺して、有効信号のみを分離する。次に、有効信号を増幅して、多数のこうした有効信号を含むサウンドファイル・ライブラリに記憶する。次に、サウンドファイル・ライブラリからの１つ以上の有効信号ファイルを混合することによってオーディオファイルを生成し、このオーディオファイルを被験者に送達する。この送達は、直接的な音声再生によって、ユーザの鼓膜または皮膚を介して、あるいは、水またはクリームまたは油のような搬送媒質に上記混合したファイルの音を当て、この搬送媒質を被験者に与えることによって行うことができる。【特許請求の範囲】
【請求項１】
天然物質または天然植物が第１位置で発生する第１入力信号を記録するステップであって、前記第１入力信号は、前記天然物質または前記天然植物から発生する有効信号と妨害信号との複合信号であるステップと；
前記第１位置に近接した位置の第２入力信号を記録するステップであって、前記第２入力信号は実質的に妨害信号のみを含むステップと；
前記第１入力信号及び前記第２入力信号を処理し、これにより、前記複合信号から前記有効信号を分離すると共に、前記妨害信号を相殺するステップと；
前記有効信号を増幅して、複数の有効信号を含むサウンドファイル・ライブラリに記憶するステップと；
前記サウンドファイル・ライブラリからの１つ以上の有効信号を混合することによって、１つ以上の有効信号からオーディオファイルを生成するステップと；
前記オーディオファイルを被験者に送達するステップと
を含むことを特徴とする治療法。
【請求項２】
前記処理するステップが、前記第２入力信号を反転して、前記反転した第２入力信号と前記第１入力信号を組み合わせることを含むことを特徴とする請求項１に記載の治療法。
【請求項３】
前記第１入力信号を記録するステップが、前記天然物質または前記天然植物から生じる音波を記録することを含み、前記妨害信号が環境の音響信号であることを特徴とする請求項１に記載の治療法。
【請求項４】
前記送達するステップが、前記オーディオファイルを再生し、前記オーディオファイルが発生する音に前記被験者をさらすことを含むことを特徴とする請求項１に記載の治療法。
【請求項５】
前記オーディオファイルを、ＭＰ３プレーヤでヘッドホンを通して再生することを含むことを特徴とする請求項４に記載の治療法。
【請求項６】
前記送達するステップが、前記被験者の皮膚上にプレートを配置し、前記オーディオファイルの信号で前記プレートを励振することを含むことを特徴とする請求項４に記載の治療法。
【請求項７】
前記送達するステップが、前記オーディオファイルを再生して音波を発生すること、前記音波を搬送媒質中に放射すること、及び前記被験者を前記搬送媒質にさらすことを含み、前記搬送媒質は、水、油、クリーム、セラム、及びローションから成るグループから選択したものであることを特徴とする請求項４に記載の治療法。
【請求項８】
天然物質及び天然植物を多重化したものから発生する多数の有効信号を記録して処理するステップと；
前記有効信号を変換して周波数ライブラリに記憶するステップと；
前記周波数ライブラリから複数のファイルを選択するステップと；
前記複数のファイルから、複数の異なる周波数を強制、連続、及びオーバーレイによって組み合わせた混合共振周波数バンドルを定式化して混合するステップと；
個別の前記混合共振周波数バンドルを被験者に送達するステップと
を含むことを特徴とする請求項１に記載の治療法。
【発明の詳細な説明】
【技術分野】
【０００１】
本発明は、治療方法及びシステムに関するものである。本発明の高周波・低周波療法は、ホメオパシー（同種療法）並びに近年の量子力学及びナノテクノロジー（ナノ技術）と組み合わせた、補完代替療法（”ＣＡＭ”：complementary and alternative medicine）、特に伝統的な漢方療法（”ＴＣＭ”：traditional Chinese medicine）に基づく。本発明は、情報量保存則を利用する。
【背景技術】
【０００２】
情報量保存則を扱うことは、本明細書のおよそ範囲外である。量子力学、ブラックホール情報パラドックスのホーキングの解法、古典的な波動理論、あるいはひも理論の厳密な記述のいずれに基づくにせよ、以下の詳細な説明は、情報が多数の系に含まれ、情報が系の全ての物理的状態で保持され、情報が、１つの状態から他の状態へ、かつ１つの物体から他の物体へ転送可能であることを、正しく、かつ適用可能であることとして仮定する。
【０００３】
人間の細胞の各々が、次の２つの次元：ＤＮＡ（即ち、ハードウェアと同種）及び真空状態（即ち、ソフトウェアと同種）から成る。真空状態は、我々の細胞の構成及び機能を操る情報を保持するエネルギー場である。真空状態は、ＤＮＡのどの部分を読み取って使用するかを決定する役割を担う。この情報は、周波数領域で表現することができ、このため、新しい系で想定されて利用される周波数は、真空状態のエネルギー場中に保持される情報を対象とする。
【０００４】
細胞は、老化、有害環境の影響、及び有害な生活条件によって、その生来の活気ある状態を失う。従って、細胞の有効性が損なわれる。系のより多数の細胞が傷ついて、健康な細胞に比べて障害のある不正常なバランスに至れば、系全体が病気または老化の段階に入る。その結果、細胞真空状態の生来の情報を回復することを可能にすることが望まれる。このプロセスは、細胞を再プログラミングすることと同種である。
【発明の概要】
【発明が解決しようとする課題】
【０００５】
発明の開示
従って、本発明の目的は、上述した問題に対する解決法を与え、失われた情報を再生し、そして細胞及び生体組織を、その生来の健康な状態に回復させることを可能にする方法及びシステムを提供することにある。
【課題を解決するための手段】
【０００６】
以上及び他の目的を考慮して、本発明によれば、次のステップを含む治療方法が提供される：
天然物質または天然植物が第１位置で発生する第１入力信号を記録するステップであって、第１入力信号は、天然物質または天然植物から発生する有効信号と妨害信号との複合信号であるステップ；
第１位置に近接した位置の第２入力信号を記録するステップであって、第２入力信号は実質的に妨害信号のみを含むステップ；
第１入力信号及び第２入力信号を処理し、これにより、複合信号から有効信号を分離すると共に、妨害信号を相殺するステップ；
有効信号を増幅して、複数の有効信号を含むサウンドファイル・ライブラリに記憶するステップ；
サウンドファイル・ライブラリからの１つ以上の有効信号を混合することによって、１つ以上の有効信号からオーディオファイルを生成するステップ；
オーディオファイルを被験者に送達するステップ。
【０００７】
本発明の追加的特徴によれば、上記処理するステップが、第２入力信号を反転して、反転した第２入力信号と第１入力信号を組み合わせることを含む。
【０００８】
本発明の追加的特徴によれば、上記記録するステップが、天然物質または天然植物から生じる音波を記録することを含み、上記妨害信号が環境の音響信号である。
【０００９】
本発明の他の特徴によれば、上記送達するステップが、上記オーディオファイルを再生し、上記オーディオファイルが発生する音に被験者をさらすことを含む。この送達は、オーディオファイルをＭＰ３プレーヤでヘッドホンを通して再生することによることができる。オーディオファイルを搬送媒質（例えば、水、油、クリーム、ローション、等）に対して再生して、被験者をこの搬送媒質にさらすこともできる。代案では、被験者の皮膚上にプレート（平板）を配置し、オーディオファイルの信号でこのプレートを励振することによって、このファイルを被験者に送達することができる。
【００１０】
本発明の追加的特徴によれば、上記方法が：
天然物質及び天然植物を多重化したものから発生する多数の有効信号を記録して処理するステップと；
これらの有効信号を変換して周波数ライブラリに記憶するステップと；
このライブラリから複数のファイルを選択するステップと；
これら複数のファイルから、複数の異なる周波数を強制、連続、及びオーバーレイ（重畳）によって組み合わせた混合共振周波数バンドル（束）を定式化して混合するステップと；
個別の周波数バンドルを被験者に送達するステップとを含む。
【００１１】
発明者が“eWaves”（「イーウェーブズ」）法と称するこの新規なプロセスは、傷ついた細胞の固有エネルギーを元の状態まで増加させることのできる対応周波数を生成することを目指す。各細胞は、その健康で活気ある段階の記憶を有し、従って、それ自体を修復するのに必要な情報を知っている。“eWaves”周波数療法は、人体の生来の自己回復及び若返りの能力を刺激する。
【００１２】
“eWaves”法が使用する周波数は、天然物質から生成され、従って、最強の共振を生じさせる。系が、２つ以上の異なる保存モード間で容易にエネルギーを保存及び転送することができる際に、共振が発生する。細胞はその欠落した情報を吸収するに過ぎないので、これらの周波数は副作用を示さない。不要で使用されない周波数は細胞を通過して、影響を示さない。合成周波数は、体にとって健康的ではないものと想定される。
【００１３】
本発明によれば、変換器が提供される。発明者が使用した“eWaves”変換器は、何千もの天然物質の周波数を読み取り、これらの周波数を周波数ライブラリに変換した。このコンピュータベースのライブラリから、専門医（薬剤師）が、いくつかの異なる周波数を強制、連続、及びオーバーレイによって組み合わせた共振周波数バンドル（定式）を混合した。完成した周波数バンドルは、健康な細胞の周波数の100%再生となる。
【００１４】
“eWaves”周波数バンドルは、細胞の生来の活気ある段階に限りなく近く、従って、傷ついた細胞の真空状態をプログラムするための正しい情報を保持する。エネルギーは、細胞膜を通ってＤＮＡの結合タンパク質に至る。細胞は、細胞のエネルギーをその元の最大値まで振動させる欠落した情報を吸収することによって、その生来の共振を回復する。改良されたタンパク質は、構造の修復をもたらす。本発明の関係では、これらの共振周波数バンドルを”Vita Waves”（「ビタウェーブズ」）と称する。
【００１５】
”Vita Waves”は、異なるモードで：即ち音波（例えば、インターネットのストリーミング、ＭＰ３プレーヤ、等）として、あるいは液体（水、油、セラム（美容液）、及びクリーム）を通して細胞に到達するように、異なる搬送体で送達することができる。
【００１６】
本発明にとって特徴的であると考えられる他の特徴は、特許請求の範囲に記載する。
【００１７】
本明細書では、本発明を、高周波・低周波療法及び送達システムの形で具体化したものとして図示して説明するが、それにもかかわらず、本発明を図示する細部に限定することを意図していない、というのは、種々の変形及び構造の変更を、本発明の範囲から逸脱することなしに、特許請求の範囲の等価物の範囲内で行うことができるからである。
【００１８】
しかし、本発明の構成は、その追加的目的及び利点と共に、以下の特定実施例の説明より、図面と関連付けて読むと、最も良く理解することができる。
【図面の簡単な説明】
【００１９】
【図１】相殺、即ち音波の相互励起を例示する図である。
【図２】妨害信号の減算による有効信号の再生を例示する図である。
【図３】本発明による、周波数ライブラリへの伝送用の有効信号を取得して処理する好適な装置の回路図である。
【図４】有効信号の短い区間を示すグラフである。
【図５】数回繰り返される有効信号を例示する信号グラフである。
【図６】種々の個別信号及び複合信号の信号ボリューム比を、複数のトラックに対して示すグラフである。
【発明を実施するための形態】
【００２０】
ここで、詳細な図面、まず、特に図１、２を参照し、これらの図に、音響相殺及び信号減算の原理を示す。音波は、長軸方向の圧力波である。圧力波は、等量で逆向きの圧力波によって相殺することができる。例えば、図１の理想化したグラフでは、正弦波入力信号１に、反転信号２、ここでは逆位相を有する全く同じ信号によって対抗することができる。従って、複合信号３は、完全に水平線信号となる。縦軸に示す振幅の単位は任意である。
【００２１】
図２では、正弦波入力信号４が有効信号の搬送波（キャリア）を形成し有効信号は搬送波信号上に変調される。ここでも、有効信号を、搬送波信号周波数の倍数である周波数を有する正弦波信号として示す。ここでも、図１と同じ反転信号２を用いて搬送波信号４を相殺する。中心線に沿って示す残余信号５が、搬送波上に変調された有効信号に相当する。即ち、搬送波信号をオフセット相殺することによって、搬送波から有効信号が抽出された。
【００２２】
ここで、残りの図、特に図３を参照すれば、新規なシステムの第１部分は情報の取得、即ち、周波数発振の読込み、及び情報の受け入れ（認定）に関係する。特定機能及び特定装置が要求される。
【００２３】
読込み部は装置であり、２つの入力部に電気振動信号（読み込むべき媒体、及び妨害信号とアンビエント（周囲）信号）の形式で送達される振動を記録し、これらの信号を処理して、記録用に処理した形式で出力部に供給する。
【００２４】
この装置は、隣接する２つの金属面（必要であれば、同一構成の２つのシールド（遮蔽）したカップを拡張部として）を有するベースプレート（底板）、中央部、及びキャップから成る。ベースプレートと中央部とは、プラグによって接続されている。
【００２５】
ベースプレートは２つの金属板から成り、これらの金属板の一方は、標本と接合するために使用される。プレートは、有効信号用の入力部として使用される。追加的プレート２０は、環境の妨害効果を記録（即ち吸収）して、必要であれば、これらの妨害効果を入力信号から減算するために使用される。この手順は、図２に示す原理に従い、純然たる有効信号を選別抽出することを可能にする。プレート２０も、追加的出力部（搬送波上への情報の転送部）として機能することができる。中央部１１は、電子素子及びオペレータ（操作員）用の要素を含む
【００２６】
入力波のスペクトルのうち、出力部（スイッチＡＦ／ＴＰ／ＨＰ）に転送される部分は調整可能である。従って、次のものを出力部に伝達することができる：
高周波のみ；
低周波のみ；
周波数スペクトルの全体。
周波数の選択は、周波数フィルタ１２で行うことができる。フィルタ１２は、外部選択スイッチ１８によって調整可能である。このフィルタは十分に調整可能であるが、フィルタの組ＴＰ及びＨＰは修正用のさらなる可能性を提供する。ＴＰは、1000Hz（１秒当たり1000回の振動）未満の周波数のみを出力部に通過させることを可能にし、ＨＰは、1000Hz以上の周波数のみを通過させる。従って、ＨＰは、例えば、妨害となる主電源の60Hzの振動を選別除去する。
【００２７】
入力信号の増幅及び転送の持続時間も制御可能である。増幅は増幅器１３によって行い、増幅器１３は、オペレータが外部スイッチ１４で調整可能である。増幅は、入力信号の６０倍とすることができる。
【００２８】
最後に、オペレータは、入力信号を出力部に直接転送するか、インバータ（反転回路）１５によって反転するかを選択することができる。このことは、入力波を反転させる（波形を維持しつつ、正の偏位を負の偏位に変換し、その逆も行う）。転送は、スタートキーによってトリガ（開始）することができる。
【００２９】
電源スイッチ、４つの出力部、２つの入力部（外部読込みカップ）、２倍増幅を伴う１つの追加的出力部、及び入力差動スイッチ用の接続部は、背面側に配置されている。
【００３０】
入力部は、プレート１０及びプレート２０に接続されている。その接続はプラグによって行われ、このプラグは、ベースプレートと中央部１１とを互いに接続する。
【００３１】
入力差動スイッチ１６は、プレート２０を電子回路に接続し、電子回路は、プレート２０（カップ２０）が出す信号をプレート１０が出す信号から減算するか、プレート２０を出力部として切り換える。差分の形成は演算増幅器（オペアンプ）１９として図示し、プレート１０及びプレート２０からの信号が演算増幅器１９に供給される。
【００３２】
ここでは非常に高感度のシステムを扱っているということにより、信号を導く全てのケーブルがシールドされ、このことは、質量体上に配置された金属網によって包囲されることを意味し、この金属網は電気的（とりわけ、電源スイッチからの）妨害効果を防止する。このシールドは接続部まできちんと構成して、信号を導く全てのケーブルが、あり得る電気的妨害の影響からシールドされるようにしなければならない。一般に、あらゆる雑音（ノイズ）が妨害となり、優れた信号対雑音比が望まれることは明らかである。
【００３３】
ベースプレートの金属プレートは、シールドケーブルを用いて直接、中央部に配置されたプラグに接続され、主要な接続を反対極として受ける。
【００３４】
内蔵タイマーの表示と共に、上記電子回路は、増幅、及び「入力部−プレート２０」の差分の形成、及び周波数フィルタリングを制御する。
【００３５】
信号転送の持続時間は、タイマー１７を用いて１〜１０分になるように調整することができる。金属プレート１０上または２つの入力ソケット上に存在する電気波（周波数）は、タイマー制御の様式で、１〜１０分の調整可能な期間だけ、４つの出力ソケット（ジャック）に伝送される。より長い時間またはより短い時間も可能である。
【００３６】
入力信号を修正するために、金属プレート２０上に存在する信号が、入力差動スイッチ１８によって入力信号から減算される。同じ信号が金属プレート１０及び２０上に存在する場合は、入力差動スイッチがオン状態である際に出力信号が存在しない。
【００３７】
入力信号は、上述した可能性によって処理することも、出力部に直接導くことも、対応して調整する際に反転させることもできる。入力信号を、無修正かつ増幅なしで、反転した出力信号と混合するならば、これらの信号は互いに相殺し合う。
【００３８】
電流を供給する電源は、医療装置用に認可された電源である。この電源は一般に、15Vの直流（ＤＣ）電圧を出力部に送達する。
【００３９】
ベースプレートは２つの金属プレートから成り、これらの金属プレートは、シールドケーブルを介して中央部用の接続プラグに接続されている。入力部（プレート１０／カップ１０）及びプレート２０／カップ２０は、差動増幅器１９（例えば、BB INA 105U）に切換接続することができ、差動増幅器１９は、これらの信号どうしを減算する。プラグの好適な接続レイアウトは次の通りである：リード８：信号プレート１０（入力）；リード１５：ケーブルプレート１０をシールド；リード５：信号プレート２０（差動入力）；及びリード１２：ケーブルプレート２０をシールド。
【００４０】
システムの好適な実施形態では、中央部１１にメイン基板を設け、メイン基板は、信号混合（ミキシング）、信号増幅、信号フィルタリング、及び信号反転用の電子回路、外部のオペレータ要素の接続部、タイマー（１〜１０分）用のスイッチ及び１０個の時間信号ＬＥＤの駆動回路、残りのＬＥＤの駆動回路、ベースプレートと、装置の上側にある追加的装置用の追加的プラグとの接続部、及び入力部及び出力部の端子接続部を有する
【００４１】
オン位置では、入力差動スイッチ１６が金属プレート２０を差動増幅器１９と接続し、差動増幅器１９は、入力信号と、プレート２０の信号並びに付随する前面のＬＥＤとの差分を、電源電圧で形成する。スイッチ１６のオフ位置では、プレート２０を追加的出力部として切り換える。
【００４２】
これらの信号は、中央部１１から送出して記憶することができる。この目的で、吸収（受信）した個別の周波数（周波数パターン）が、出力部（外部出力）２１にアナログ信号として存在する。
【００４３】
この場合、波長は2.00×102〜4.00×10-6であり、出力端子における周波数は、0,005〜250,000Hzである。信号の振幅(V)は、10V〜3Vである。
【００４４】
転送される振動パターンを搬送する出力信号は、コンピュータプログラムによって制御されるデータベース内にデジタルデータとして蓄積される。上記アナログ信号のアナログ−デジタル変換は、適切な走査周波数で行い、この周波数は、有効信号の最高周波数に対するナイキスト速度（レート）以上でなければならない。
【００４５】
以下、記録された周波数パターンのその後の処理について、図４以降を参照しながら説明する。記録されたデジタルサウンドパターン（記録された出力音は約60〜180秒間継続する）は明瞭なパターンを示し、個別の周波数パターンの反復（繰り返し）が認められる。個別の周波数パターンの平均長は0.3〜1.0秒である。
【００４６】
図４に例示するパターンは、個別の周波数パターン（より正確には、約３回の反復）を有し、デジタルサウンドパターン（出力音）から切り出され、その後にサウンド（音響）プログラムによって処理される。
【００４７】
その後の処理中には、個別の周波数パターン（0.3〜1秒の長さ）が切り出され、開始時刻及び有限時間が、音響的なゼロライン上に存在する。一方では、このことは、現在繰り返すべき周波数パターンどうしの転換を修正し、他方では、その後に必要となる、この転換から生じる、読込み情報（クラッキング／クリッキング）の個別音の転換を修正する。この処理ステップは明らかに、製品の利便性を改善し、ユーザに必要なリラックスに役立つ。
【００４８】
図４の修正した個別の周波数パターンを、図６に示すように、縦線で切り出し反復して約３秒の長さにして、データベース内のサウンドファイルに記憶する。
【００４９】
処理過程の設定及び公式化は、次の通りである：まず、個別周波数の配列を取り扱う。生成された混合の指定に従い、反復される個別の周波数パターンをサウンドファイルの形に編集する。この場合、３秒間のシーケンスのそれぞれを、２つの面内のいくつかのサウンドトラックの形に配列し、その数は構成要素の数＋１に相当する。
【００５０】
第１面（即ち、トラック１）では、全ての個別の周波数パターンが連続して存在する。第２面（即ち、トラック２〜ｎ）では、個別の周波数パターンのそれぞれを別個に繰り返し、この繰り返しを次々に、処理の実行時間全体にわたって行う。
【００５１】
従って、各場合において、構成要素の別々な個別の周波数が同時に再生され（第２面／トラック２〜ｎ）、追加的に、別個に再生される（第１面／第１トラック）。
【００５２】
このことは、全ての周波数を連続して、倍加させて強調させる。この倍加は、次の表で表される：
【００５３】
【表１】
2014504892.tif 000002
【００５４】
個別のトラックのボリュームが主に重要である。使用される周波数の個数は、第２面（トラック２〜ｎ）の個別のトラックのボリュームに直接的影響を与える。効率テストにより、第１面と第２面との最適な比率は60:40（第１面のボリューム）であるものと定めることができた。
【００５５】
この比率を基に、第２面の個別のボリューム（トラック２〜ｎのそれぞれ）は、使用した個別の周波数パターンの数によって規定することができる。
【００５６】
このことは、第１面との倍加により（こうして強調される）、個別の周波数パターンが複合ボリュームとして強調される比率も変化させる。
【００５７】
図６を参照すれば、５トラック（構成要素）が与えられ、５０トラックの0.8%しか倍加されないため、個別の周波数パターンは8%だけ強調される。このことは、互いに組み合わせることのできる個別周波数パターンの限度（最大数）をもたらす。
【００５８】
公式化に関しては、クライアントのフィードバック（製品についての質問）及び専門家による提案の枠内で、製品思想が展開される。この場合、特に専門家の提案に関しては、形成は、これら常日頃の実践から受けたフィードバックに直接応えることができる。一般に、全ての形成が主に、ホメオパシー（同種療法）において用いられる形成及び手段に基づく。
【００５９】
製品の所望特性を基礎として考えれば（これとは逆に、ホメオパシーにおける症状として記述される）、第１の形成は、ＴＣＭの成分、アーユルヴェーダ（インドの伝統療法）及び自然療法（例えば、バッハフラワー、バッハフラワーの抽出物、シュスラー細胞塩、または細胞塩）によって構成され、必要であれば補完される。
【００６０】
第１段階では、これらの公式化は治験向けに構成され、製品に応じて、追加的にクラスタまたは副製品に分けられる（女性、男性、大人／子供及び年少者）。これらの治験は、段階を累積して試験される。
【００６１】
最初の試験段階は、被験者による限られた適用試験である：第１段階では、少数（10〜30人）の被験者によって治療を試験する。この場合、送達される数値的フィードバックを、所望かつ所定の特性に応じて評価する。
【００６２】
以前に規定した品質ＫＰＩ（key performance indication：主要評価指数）及び効率ＫＰＩが達成されれば、その製品を第２の試験段階に転送する。
【００６３】
第２の試験段階は、医師／マルチプライヤーによる適用試験（専門家試験／管理試験）である。
【００６４】
【表２】
2014504892.tif 000003
【００６５】
被験者及び専門家の管理による適用の期間についての自己評価、医師、マルチプライヤー（専門試験者）による観察に加えて、パルス周波数分析を用いて、医療製品を評価することもできる。
【００６６】
この段階でも、製品状態への移行のためには、セットＫＰＩ（量的及び質的効果の評価）の達成が必須要件である。
【００６７】
原則的に、治療の質は、達成される効率の２つのレベルについて規定される：「質的効率」は、個別の試験者及び／またはマルチプライヤーが、適用対象を参照し、これに加えて、時間的プロファイル及び達成された持続効果を参照して観測した効果を規定する。「量的効率」は、所定の適用対象を参照した全体によって観察される量的効果を規定する。
【００６８】
達成される効率は、両レベルについて、治療の質の指標として決定される、というのは、製品は個人に合わせていないからであり、従って、応用は、ユーザの個人的指標に合わせて調整されていないが、複数のユーザ用の広帯域製品として有効でなければならない。
【００６９】
治療音の送達は、単純な音響送出システムによって、キットによって、あるいはインターネット上の配信によって行うことができる。例えば、サウンドファイルを携帯プレーヤ（例えば、iPod nano（登録商標）等）上にダウンロードすることができ、あるいは、サウンドファイルを、一式のキット（イヤホン付きのプレーヤ）として販売することができる。
【００７０】
代案では、搬送媒質（水、クリーム、油、等）を音波に当てることによって、治療用サウンドファイルを代わりの搬送体に転送することもできる。液体が搬送媒質を形成するこの種の送達では、物理学より知られる情報量保存則を利用する。この送達は、経皮的送達として、あるいは皮下吸収として行うことができる。
【００７１】
混成として見ることのできる送達の他の実施形態では、サウンドファイルを、プレートまたはプレートレット（小プレート）（例えば、金属プレート、あるいは金属／プラスチック複合プレート）に送達して、このプレート内に振動を誘発させることができる。このプレートはユーザの皮膚上に配置され、ユーザは任意の位置を選定することができ、このプレートを励振させ、これにより、その振動内容を、皮膚を通して患者の内部に伝える。ここで、１つの小型化の可能性は、電子回路一式を含む腕時計、または腕時計状装置付きのブレスレットである。従って、この「腕時計」の後部が振動プレートレットとして形成される。
【図１】
2014504892.tif 000004
【図２】
2014504892.tif 000005
【図３】
2014504892.tif 000006
【図４】
2014504892.tif 000007
【図５】
2014504892.tif 000008
【図６】
2014504892.tif 000009